(57)【要約】【課題】用紙の過積載に伴い最上位の用紙が上方の構成部材に接触することに伴う不具合の発生を防止する。【解決手段】用紙カセット１００は、下段側トレイ５０と、この下段側トレイ５０の上部において給送可能位置と退避位置との間をスライド変位可能な上段側トレイ６０と、を備えた複数段式の用紙カセットである。下段側トレイ５０は、用紙のエッジを規制するエッジガイド５２を備えており、このエッジガイド５２には用紙の積載枚数を規制する庇部５３が形成されている。上段側トレイ６０には、その下面から突出する様にローラー６６が設けられ、このローラー６６により下段側トレイ５０に用紙が過積載されても最上位の用紙が上段側トレイ６０の下面に圧接することを防止できる。【選択図】図１
2012136326.tif 000002
【特許請求の範囲】
【請求項１】
被記録媒体を収容する下段側トレイと、当該下段側トレイの上部に設けられた、被記録媒体を収容する上段側トレイと、を備え、
前記上段側トレイに、自由回転可能なローラーが、前記上段側トレイの下面から前記下段側トレイの側に突出した状態に設けられている、
ことを特徴とする被記録媒体カセット。
【請求項２】
請求項１に記載の被記録媒体カセットにおいて、前記下段側トレイは、被記録媒体のエッジをガイドするエッジガイドを備え、
前記エッジガイドには、被記録媒体の積載枚数を規制する規制面を形成する庇部が設けられ、
前記上段側トレイに設けられたローラーが、前記規制面の高さ位置から前記下段側トレイの底面側に突出した状態に設けられている、
ことを特徴とする被記録媒体カセット。
【請求項３】
被記録媒体のエッジをガイドするエッジガイドであって、
被記録媒体の積載枚数を規制する規制面を形成する庇部を備え、
前記庇部に、自由回転可能なローラーが、前記規制面から前記下段側トレイの底面側に突出した状態に設けられている、
ことを特徴とするエッジガイド。
【請求項４】
被記録媒体のエッジをガイドするエッジガイドであって、
被記録媒体の積載枚数を規制する規制面を形成する庇部を備え、
前記庇部は、前記規制面が変位可能な可動構造で構成され、付勢手段の付勢力によって前記規制面による前記積載枚数の規制位置が規定されている、
ことを特徴とするエッジガイド。
【請求項５】
被記録媒体のエッジをガイドするエッジガイドであって、
被記録媒体の積載枚数を規制する規制面を形成する庇部を備え、
前記庇部は、前記規制面が変位或いは変形可能な弾性を備えている、
ことを特徴とするエッジガイド。
【請求項６】
被記録媒体を収容する被記録媒体カセットであって、請求項３から５のいずれか１項に記載のエッジガイドを備えている、
ことを特徴とする被記録媒体カセット。
【請求項７】
被記録媒体を給送する被記録媒体給送装置であって、請求項１、２、６のいずれか１項に記載の被記録媒体カセット、或いは請求項３から５のいずれか１項に記載のエッジガイドを備えている、
ことを特徴とする被記録媒体給送装置。
【請求項８】
被記録媒体に記録を行う記録手段と、
請求項７に記載の被記録媒体給送装置と、を備えたことを特徴とする記録装置。
【発明の詳細な説明】
【技術分野】
【０００１】
本発明は、装置本体に対し着脱可能な被記録媒体カセットに関する。また本発明は、被記録媒体のエッジをガイドするエッジガイドに関する。更に本発明は、前記被記録媒体カセット或いはエッジガイドを備えた被記録媒体給送装置、およびこれを備えた、ファクシミリやプリンター等に代表される記録装置に関する。
【背景技術】
【０００２】
装置本体に対して着脱可能な用紙カセットは従来から広く用いられている。また、その中でも特許文献１や特許文献２に示されるように、一つの着脱自在な用紙カセット（トレイ）において下段と上段に用紙収容部を備えた２段式構造のものが知られている。尚、記録装置において用紙を収容する用紙収容部の呼称としては「カセット」、「トレイ」など種々のものがあるが、本明細書では装置本体に対して着脱可能な一つのユニット体全体を「カセット」と言い、このカセット内に設けられた複数の用紙収容部を「トレイ」と言うこととする。
【先行技術文献】
【特許文献】
【０００３】
【特許文献１】特開２００６−２７３５６５号公報
【特許文献２】特開２００７−９１４４５号公報
【発明の概要】
【発明が解決しようとする課題】
【０００４】
上記の様な２段式構造の用紙カセットにおいては、下段トレイの上部に上段トレイが設けられることから、下段トレイに収容される用紙の枚数が設計上想定される枚数を超えると（過積載）、下段トレイに収容された用紙が上段トレイの下面に圧接し、これが用紙送り出し時に過剰な負荷（摩擦力）となって給紙不良が発生する虞がある。或いは、給紙不良が生じない場合であっても、記録面に傷を形成してしまう虞がある。
【０００５】
また、トレイには用紙のエッジをガイドするエッジガイドが設けられ、このエッジガイドに、用紙枚数を規制する規制面を形成する庇部が設けられる場合があるが、この様な場合でも用紙が過剰に収容されると、最上位の用紙が規制面に圧接することで、用紙送り出し時に負荷が生じて給紙不良が発生したり、記録面に傷を形成したりする虞がある。
【０００６】
尚、この様にエッジガイドに用紙枚数を規制する庇部が設けられた場合に生じる技術的課題は、下段トレイと上段トレイとを備えた複数段式の用紙カセットのみならず、一段構成の用紙カセットにも生じ得るものであり、また更には用紙カセットのみならず記録装置の本体に固定的に設けられた用紙トレイ（エッジガイド）においても生じ得る。
【０００７】
そこで本発明はこの様な状況に鑑みなされたものであり、その目的は、用紙の過積載に伴い最上位の用紙がその上方の構成部材に接触することに伴う不具合の発生を防止することにある。
【課題を解決するための手段】
【０００８】
上記課題を解決する為の、本発明の第１の態様に係る被記録媒体カセットは、被記録媒体を収容する下段側トレイと、当該下段側トレイの上部に設けられた、被記録媒体を収容する上段側トレイと、を備え、前記上段側トレイに、自由回転可能なローラーが、前記上段側トレイの下面から前記下段側トレイの側に突出した状態に設けられていることを特徴とする。
【０００９】
本態様によれば、下段側トレイと上段側トレイとを備えた複数段構造の被記録媒体カセットにおいて、上段側トレイに、自由回転可能なローラーが、上段側トレイの下面から下段側トレイの側に突出した状態に設けられているので、下段側トレイに被記録媒体が過積載されても、最上位の被記録媒体は自由回転可能なローラーに接触し、これにより被記録媒体送り出し時の負荷が低減され、給送不良を防止することができるとともに、記録面に傷を形成することも防止できる。
【００１０】
本発明の第２の態様は、第１の態様において、前記下段側トレイは、被記録媒体のエッジをガイドするエッジガイドを備え、前記エッジガイドには、被記録媒体の積載枚数を規制する規制面を形成する庇部が設けられ、前記上段側トレイに設けられたローラーが、前記規制面の高さ位置から前記下段側トレイの底面側に突出した状態に設けられていることを特徴とする。
【００１１】
被記録媒体の積載枚数を規制する規制面を形成する庇部を有するエッジガイドが設けられている場合、被記録媒体が過積載されると最上位の被記録媒体が規制面に圧接し、給送不良を招いたり記録面に傷を形成する虞がある。しかし本態様によれば、上段側トレイに設けられたローラーが、上記規制面の高さ位置から下段側トレイの底面側に突出した状態に設けられているので、被記録媒体が過積載されても、最上位の被記録媒体が規制面に圧接することを防止でき、給送不良を招いたり記録面に傷を形成することを防止できる。
【００１２】
本発明の第３の態様は、被記録媒体のエッジをガイドするエッジガイドであって、被記録媒体の積載枚数を規制する規制面を形成する庇部を備え、前記庇部に、自由回転可能なローラーが、前記規制面から前記下段側トレイの底面側に突出した状態に設けられていることを特徴とする。
【００１３】
本態様によれば、被記録媒体の積載枚数を規制する規制面を形成する庇部を備えたエッジガイドにおいて、前記庇部に、自由回転可能なローラーが前記規制面から前記下段側トレイの底面側に突出した状態に設けられているので、被記録媒体が過積載されても、最上位の被記録媒体が前記規制面に圧接することを防止でき、給送不良を招いたり記録面に傷を形成することを防止できる。
【００１４】
本発明の第４の態様は、被記録媒体のエッジをガイドするエッジガイドであって、被記録媒体の積載枚数を規制する規制面を形成する庇部を備え、前記庇部は、前記規制面が変位可能な可動構造で構成され、付勢手段の付勢力によって前記規制面による前記積載枚数の規制位置が規定されていることを特徴とする。
【００１５】
本態様によれば、被記録媒体の積載枚数を規制する規制面を形成する庇部を備えたエッジガイドにおいて、庇部は、前記規制面が変位可能な可動構造で構成され、付勢手段の付勢力によって前記規制面による前記積載枚数の規制位置が規定されているので、被記録媒体が過積載されても、前記規制面が弾性的に変位することで最上位の被記録媒体が前記規制面に圧接することを防止でき、給送不良を招いたり記録面に傷を形成することを防止できる。
【００１６】
本発明の第５の態様は、被記録媒体のエッジをガイドするエッジガイドであって、被記録媒体の積載枚数を規制する規制面を形成する庇部を備え、前記庇部は、前記規制面が変位或いは変形可能な弾性を備えていることを特徴とする。
【００１７】
本態様によれば、被記録媒体の積載枚数を規制する規制面を形成する庇部を備えたエッジガイドにおいて、前記庇部は、前記規制面が変位或いは変形可能な弾性を備えているので、被記録媒体が過積載されても、前記規制面が弾性的に変位或いは変形することで最上位の被記録媒体が前記規制面に圧接することを防止でき、給送不良を招いたり記録面に傷を形成することを防止できる。
【００１８】
本発明の第６の態様は、被記録媒体を収容する被記録媒体カセットであって、第３から第５の態様のいずれかに係るエッジガイドを備えていることを特徴とする。本態様によれば、被記録媒体カセットにおいて、上記第３から第５の態様のいずれかと同様な作用効果を得ることができる。
【００１９】
本発明の第７の態様は、被記録媒体を給送する被記録媒体給送装置であって、第１、第２、第６の態様のいずれかに係る被記録媒体カセット、或いは第３から第５の態様のいずれかに係るエッジガイドを備えていることを特徴とする。また本発明の第８の態様は、被記録媒体に記録を行う記録手段と、第７の態様に係る被記録媒体給送装置と、を備えたことを特徴とする記録装置である。これらの態様によれば、第１から第６の態様のいずれかと同様な作用効果を得ることができる。
【図面の簡単な説明】
【００２０】
【図１】本発明の一実施形態に係るプリンターの用紙搬送経路を示す側断面図。
【図２】本発明の一実施形態に係る用紙カセットの斜視図。
【図３】本発明の一実施形態に係る用紙カセットの側断面図。
【図４】（Ａ）、（Ｂ）、（Ｃ）は本発明に係るエッジガイドの実施形態のバリエーションを示す図。
【発明を実施するための形態】
【００２１】
以下、図１乃至図４を参照しつつ本発明の一実施形態について説明する。図１は本発明に係る「記録装置」の一実施形態であるインクジェットプリンター（以下「プリンター」と言う）１の用紙搬送経路を示す側断面図、図２は本発明に係る「被記録媒体カセット」の一実施形態である用紙カセット１００の斜視図、図３は同側断面図、図４（Ａ）、（Ｂ）、（Ｃ）は本発明に係るエッジガイドの実施形態のバリエーションを示す図である。尚、図１及び図３において右方向は用紙送り出し方向、図面表裏方向が用紙幅方向を示している。また図４では、左右方向が用紙幅方向、図面裏方向が用紙送り出し方向を示している。
【００２２】
以下、図１を参照しつつプリンター１の全体構成について概説する。プリンター１は、装置底部に給送装置２を備え、当該給送装置２から、「被記録媒体」の一例としての用紙（主として単票紙）を１枚ずつ給送し、記録手段４において記録（インクジェット記録）を行い、装置前方側（図１において左側）に設けられた図示しない排紙スタッカへ向けて排出される構成を備えている。
【００２３】
以下、用紙搬送経路上の構成要素について更に詳説する。  
給送装置２は、用紙カセット１００と、ピックアップローラー１６と、ガイドローラー２０と、分離手段２１と、を備えている。  
複数枚の用紙Ｐを積層状態でセット可能な用紙カセット１００は、給送装置２の装置本体に対し、装置前方側から装着及び取り外し可能であり、下部に位置して用紙カセット１００の基体を構成する下段側トレイ５０と、その上部に位置する、給送可能位置と退避位置との間をスライド可能な上段側トレイ６０と、の２つの用紙収容部を備えている。
【００２４】
尚、図１においては、下段側トレイ５０に収容される用紙を符号Ｐ１で、上段側トレイ６０に収容される用紙を符号Ｐ２で、それぞれ示している（以下特に区別する必要がない場合は「用紙Ｐ」と言う）。
【００２５】
図示しないモータによって回転駆動されるピックアップローラー１６は、揺動軸１８を中心に揺動する揺動部材１７に設けられており、上段側トレイ６０が最も装置後方側（図１において左方向：用紙カセット１００の引き抜き方向側）にスライドした状態、即ち上段側トレイ６０が退避位置にあるときは、下段側トレイ５０に収容された用紙Ｐ１の最上位のものと接して回転することにより、当該最上位の用紙Ｐ１を下段側トレイ５０から送り出す。
【００２６】
また上段側トレイ６０が最も装置前方側（図１において右方向：用紙カセット１００の装着方向側）にスライドした突き当て位置にあるとき、即ち上段側トレイ６０の給送可能位置では、上段側トレイ６０に収容された用紙Ｐ２の最上位のものと接して回転することにより、当該最上位の用紙Ｐ２を上段側トレイ６０から送り出す。
【００２７】
この上段側トレイ６０が給送可能位置に位置決めされた状態では、下段側トレイ５０の分離斜面５４が、上段側トレイ６０の前方側内壁よりも上段側トレイ６０に収容された用紙先端側に突出するように構成されており、これにより分離斜面５４が上段側トレイ６０から用紙が送り出される際の分離手段として利用されるようになっている。即ち、下段側トレイ５０の分離斜面５４が、下段側トレイ５０と上段側トレイ６０の共通の分離手段として利用される様になっている。
【００２８】
次に、分離斜面５４の下流側には自由回転可能なガイドローラー２０が設けられ、このガイドローラー２０の下流側には、分離ローラー２２と駆動ローラー２３とを備えて構成された分離手段２１が設けられている。分離ローラー２２は、外周面が弾性材によって形成されるとともに駆動ローラー２３と圧接可能に設けられ、且つ、トルクリミッタ機構により、所定の回転抵抗が与えられた状態に設けられている。従って重送されようとする次位以降の用紙Ｐが、当該分離ローラー２２と駆動ローラー２３との間で止められ、即ち重送が防止される様になっている。尚、駆動ローラー２３は図示しないモータにより用紙Ｐを下流側へ送る方向に回転駆動される。
【００２９】
分離手段２１の下流側には、図示しないモータにより回転駆動される駆動ローラー２６と、駆動ローラー２６との間で用紙Ｐをニップして従動回転するアシストローラー２７と、を備えて構成された第１中間送り部２５が設けられており、この第１中間送り部２５により、用紙Ｐが更に下流側へと送られる。尚、符号２９は、用紙Ｐが湾曲反転経路を通過する際の（特に用紙後端が通過する際の）通紙負荷を軽減する従動ローラーを示している。
【００３０】
従動ローラー２９の下流側には図示しないモータにより回転駆動される駆動ローラー３２と、駆動ローラー３２との間で用紙Ｐをニップして従動回転するアシストローラー３３と、を備えて構成された第２中間送り部３１が設けられており、この第２中間送り部３１により、用紙Ｐが更に下流側へと送られる。
【００３１】
第２中間送り部３１の下流側には、記録手段４が配置されている。記録手段４は、搬送手段５と、記録ヘッド４２と、下部紙案内３９と、排出手段６と、を備えている。搬送手段５は、モータによって回転駆動される搬送駆動ローラー３５と、該搬送駆動ローラー３５に圧接して従動回転するよう上部紙案内３７に軸支される搬送従動ローラー３６とを備えて構成されている。搬送手段５に到達した用紙Ｐは、搬送駆動ローラー３５と搬送従動ローラー３６とによってニップされた状態で搬送駆動ローラー３５が回転することにより、下流側へと精密送りされる。
【００３２】
続いて記録ヘッド４２はキャリッジ４０の底部に設けられ、当該キャリッジ４０は主走査方向（図１の紙面表裏方向）に延びるキャリッジガイド軸４１にガイドされながら、図示しない駆動モータによって主走査方向に往復動する様に駆動される。尚、キャリッジ４０はインクカートリッジを搭載しない所謂オフキャリッジタイプであり、インクカートリッジ（図示せず）がキャリッジ４０から独立して設けられ、インク供給チューブ（図示せず）を介してインクカートリッジから記録ヘッド４２へとインクが供給されるように構成されている。
【００３３】
記録ヘッド４２と対向する位置には下部紙案内３９が設けられ、当該下部紙案内３９によって、用紙Ｐと記録ヘッド４２との距離が規定されるようになっている。そして下部紙案内３９の下流側には、記録の行われた用紙Ｐを排出する排出手段６が設けられている。排出手段６は図示しないモータによって回転駆動される排出駆動ローラー４４と、当該排出駆動ローラー４４に接して従動回転する排出従動ローラー４５とを備えて構成され、記録手段４によって記録の行われた用紙Ｐは、排出手段６により、装置前方側に設けられた図示を省略するスタッカへと排出される。
【００３４】
以上がプリンター１の概要であり、以下、用紙カセット１００について図２及び図３をも併せて参照しつつ更に詳説する。  
下段側トレイ５０は、その底面５０ａに、用紙送り方向（即ち、用紙長さ方向）にスライド可能なエッジガイド５１（図１）を備えており、このエッジガイド５１により後端エッジの位置が規制されるようになっている。また、用紙送り方向と直交する方向（即ち、用紙幅方向）にスライド可能なエッジガイド５２も設けられており、このエッジガイド５２により、サイドエッジの位置が規制されるようになっている。
【００３５】
また底面５０ａには、ピックアップローラー１６と用紙Ｐ１との接触位置に対応する場所に高摩擦材（不図示）が配置されており、この高摩擦材により、ピックアップローラー１６による用紙送り出し時に用紙束ごと下流側に送られないよう、当該用紙束が保持される。
【００３６】
一方、上段側トレイ６０についても下端側トレイ５０と同様に、その底面６０ａに、用紙長さ方向にスライド可能なエッジガイド６１と、用紙幅方向にスライド可能なエッジガイド６２と、を備えている。またピックアップローラー１６と用紙Ｐ２との接触位置に対応する場所に高摩擦材６４が配置されている。
【００３７】
ここで、エッジガイド５２には、庇部５３が形成されている。庇部５３は、積載された用紙の上方に迫り出す様に設けられており、これによりその下面が、用紙の積載枚数を規制する規制面５３ａ（図３）として機能する様になっている。尚、エッジガイド６２にも同様な庇部６３が形成されているが、その機能は上記庇部５３と同様である為、その説明は省略する。
【００３８】
次に、上段側トレイ６０には、自由回転可能なローラー６６が、上段側トレイ６０の下面から下段側トレイ５０の側に突出した状態で設けられている。この突出量は、本実施形態では図３に示す様に庇部５３が形成する規制面５３ａの高さ位置よりも、更に下段側トレイ５０の底面５０ａ側に突出する様に設定されている。尚、図３において符号Ｌｖは、規制面５３ａの高さ位置を示す直線である。
【００３９】
従ってこのローラー６６により、下段側トレイ５０に用紙Ｐ１が過積載されても、最上位の用紙Ｐ１はローラー６６に接触し、上段側トレイ６０の下面には圧接しない。また、エッジガイド５２に形成された庇部５３の規制面５３ａにも圧接しない。従ってこれにより下段側トレイ５０に用紙Ｐ１が過積載されても用紙送り出し時に大きな負荷が生じることがなく、給送不良を防止することができるとともに、記録面に傷を形成することも防止できる。
【００４０】
尚、本実施形態では、ローラー６６は用紙送り方向（図２においてｙ方向）において１つ設けているが、これに限られず、複数設けても構わない。また同様に、本実施形態ではローラー６６は用紙幅方向（図２においてｘ方向）において１つ設けているが、これに限られず、複数設けても構わない。
【００４１】
加えて、ローラー６６の用紙送り方向における位置は、適宜設定することができるが、例えば下段側トレイ５０に収容が想定される最小サイズの用紙に接する範囲に設けることが好適である。同様に、ローラー６６の用紙幅方向における位置は、適宜設定することができるが、例えば下段側トレイ５０に収容が想定される最小サイズの用紙に接する範囲に設けることが好適である。
【００４２】
尚、上記実施形態ではエッジガイド５２に庇部５３が設けられているが、庇部５３を備えないエッジガイドを備えた用紙カセットにおいて、上述したローラー６６が設けられていれば、下段側トレイ５０に収容された用紙Ｐ１が上段側トレイ６０の下面に圧接することを防止でき、即ちローラー６６の作用効果が得られることは言うまでもない。
【００４３】
続いて、他の実施形態について図４（Ａ）〜（Ｃ）を参照しつつ説明する。先ず、図４（Ａ）に示すエッジガイド５２Ａは、庇部５３Ａに、ローラー６６が設けられている。即ち、上述した実施形態とは異なり、ローラー６６が、上段側トレイ６０ではなくエッジガイドに設けられている。この様に庇部５３Ａに近い位置にローラー６６が設けられることで、より確実に、給送不良を防止することができるとともに、また記録面に傷を形成することも防止できる。
【００４４】
また図４（Ｂ）に示すエッジガイド５２Ｂは、庇部５３Ｂが、規制面５３ａが図の上下の変位可能な様に可動構造で構成されている。より詳しくは、符号ｇは揺動軸を示しており、庇部５３Ｂはこの揺動軸ｇを中心に図の矢印方向に揺動可能に設けられているとともに、付勢手段としての板ばね５６により、規制面５３ａによる用紙積載枚数の規制位置（図の高さ位置）が規定された状態となっている。
【００４５】
これにより、用紙Ｐ１が過積載されても、規制面５３ａが弾性的に変位することで最上位の用紙Ｐ１が規制面５３ａに圧接することを防止でき、給送不良を招いたり記録面に傷を形成することを防止できる。尚、この様に構成しても、庇部５３Ｂが設けられていることで、用紙の積載枚数規制機能は損なわれない。
【００４６】
また図４（Ｃ）に示すエッジガイド５２Ｃは、庇部５３Ｃが、規制面５３ａが変位或いは変形可能となる様に弾性を備えている（弾性材料により形成されている）。これにより、用紙Ｐ１が過積載されても、規制面５３ａが弾性的に変位し或いは変形することで（符号５３Ｃ’）、最上位の用紙Ｐ１が規制面５３ａに圧接することを防止でき、給送不良を招いたり記録面に傷を形成することを防止できる。尚、この様に構成しても、庇部５３Ｃが設けられていることで、用紙の積載枚数規制機能は損なわれない。
【００４７】
以上説明した実施形態は一例であり、これに限られないことは言うまでもない。例えば、図４（Ａ）〜（Ｃ）に示した実施形態はエッジガイドに係るものであるので、この様なエッジガイドを、下段側トレイのみならず、上段側トレイに適用しても良いし、また用紙カセットのみならず、記録装置に固定的に設けられた用紙トレイなどにも適用可能である。
【符号の説明】
【００４８】
１  インクジェットプリンター、２  給送装置、４  記録手段、５  搬送手段、６  排出手段、１６  ピックアップローラー、１７  揺動部材、１８  揺動軸、２０  従動ローラー、２１  分離手段、２２  分離ローラー、２３  駆動ローラー、２５  第１中間送り部、２６  駆動ローラー、２７  アシストローラー、２９  従動ローラー、３１  第２中間送り部、３２  駆動ローラー、３３  アシストローラー、３５  搬送駆動ローラー、３６  搬送従動ローラー、３７  上部紙案内、３９  下部紙案内、４０  キャリッジ、４１  キャリッジガイド軸、４２  記録ヘッド、４４  排出駆動ローラー、４５  排出従動ローラー、５０  下段側トレイ、５０ａ  底面、５１  エッジガイド、５２  エッジガイド、５３  庇部、５３ａ  規制面、５４  分離斜面、６０  上段側トレイ、６０ａ  底面、６１  エッジガイド、６２  エッジガイド、６３  庇部、６４  高摩擦材、６６  ローラー、１００  用紙カセット、Ｐ、Ｐ１、Ｐ２  記録用紙
【図１】
2012136326.tif 000003
【図２】
2012136326.tif 000004
【図３】
2012136326.tif 000005
【図４】
2012136326.tif 000006